(57)【要約】【課題】ランプの冷却で生まれた熱気の不用意な漏れ出しを防止できるランプモジュールを提供する。【解決手段】ランプカバー４は、ランプケース２の右側面に向き合う主板部４ａと、ランプケース２の右側面に隣接する上側面、下側面それぞれに重ねられる上側板部４ｂ、下側板部４ｃと、を含む。主板部４ａの前縁に前面部材３からの第１の突条３ｄを外側からあてがうとともに、上側板部４ｂの前縁に前面部材３からの第２の突条３ｅを外側からあてがった状態で、上側板部４ｂを、これが重ねられるランプケース２の上側面の後部にビス８で締付けされる。合わせて下側板部４ｃの前縁に前面部材３からの第２の突条を外側からあてがった状態で、下側板部４ｃを、これが重ねられるランプケース２の下側面の後部にビスで締付けされる。【選択図】図２
2008129370.tif 000002
【特許請求の範囲】
【請求項１】
光源ランプを収納したランプケースと、
前記光源ランプからの光の出射口を有し前記ランプケースの前面に取り付けられる前面部材と、
折り曲げられた金属板より成り前記ランプケースの一側面に被せられるランプカバーと、を備えたランプモジュールであって、
前記前面部材は、金属の射出成形品であり、
前記ランプケースは、折り曲げられた金属板より成り、その前記一側面に隣接する二側面の一方に開口が形成され、この開口に絶縁板が被せられ、
前記絶縁板は、前記開口が形成された前記ランプケースの前記側面に前部と後部をビスで締付けされ、
前記ランプカバーは、前記ランプケースの前記一側面に向き合う主板部と、前記ランプケースの前記一側面に隣接する二側面それぞれに重ねられる側板部と、を含み、前記主板部の前縁に前記前面部材からの第１の突条を外側からあてがった状態で、前記側板部をそれぞれが重ねられる前記ランプケースの前記側面の後部にビスで締付けされるランプモジュールにおいて、
前記ランプケースの前記側面への前記ビスによる前記ランプカバーの前記側板部の締付けは、前記側板部の前縁に前記前面部材からの第２の突条を外側からあてがった状態でなされることを特徴とするランプモジュール。
【請求項２】
光源ランプを収納したランプケースと、
前記光源ランプからの光の出射口を有し前記ランプケースの前面に取り付けられる前面部材と、
折り曲げられた金属板より成り前記ランプケースの一側面に被せられるランプカバーと、を備えたランプモジュールであって、
前記ランプカバーは、前記ランプケースの前記一側面に向き合う主板部と、前記ランプケースの前記一側面に隣接する二側面それぞれに重ねられる側板部と、を含み、前記主板部の前縁に前記前面部材からの第１の突条を外側からあてがうとともに、少なくとも一方の前記側板部の前縁に前記前面部材からの第２の突条を外側からあてがった状態で、前記側板部をそれぞれが重ねられる前記ランプケースの前記側面の後部にビスで締付けされることを特徴とするランプモジュール。
【請求項３】
前記前面部材は、金属の射出成形品であることを特徴とする請求項２に記載のランプモジュール。
【請求項４】
前記ランプケースは、折り曲げられた金属板より成ることを特徴とする請求項２又は３に記載のランプモジュール。
【請求項５】
前記ランプケースには、前記ランプカバーの前記側板部が重ねられる前記側面の少なくとも一方に開口が形成され、この開口に絶縁板が被せられていて、
前記絶縁板は、前記開口が形成された前記ランプケースの前記側面に前部と後部をビスで締付けされることを特徴とする請求項４に記載のランプモジュール。
【発明の詳細な説明】
【技術分野】
【０００１】
本発明は、プロジェクタ用のランプモジュールに関する。
【背景技術】
【０００２】
プロジェクタは、スクリーン等に画像を投影して表示するための装置であって、液晶パネルを利用した液晶プロジェクタや、ＤＭＤ（Digital Micromirror Device）を利用したＤＬＰ（Digital Light Processing）プロジェクタ等が代表的である。プロジェクタには光を発する光源ランプが不可欠であり、そのランプはランプモジュールとしてプロジェクタ本体内に組み付けられ、寿命が来ればランプモジュールごと交換される。
【０００３】
従来一般のランプモジュールにおいては、樹脂成形品や板金成形品のランプケースにランプが収納されて保持される（例えば、特許文献１、２参照）。プロジェクタの駆動中、ランプケース内はランプの発熱によって高温になることから、ランプケース内に空気を流通させてランプを冷却するようになっている。
【０００４】
ランプの冷却構造を備える従来のランプモジュールとしては、例えば、以下のようなものがある。図４〜図６に示すように、ランプモジュール１０１は、大きくは、ランプケース１０２と、このランプケース１０２の前面（図４では左手前側の面、図５、図６では左奥側の面）に取り付けられる前面部材１０３と、ランプケース１０２の一側面、例えば右側面（図４では左奥側の面、図５、図６では右奥側の面）に被せられるランプカバー１０４とより構成される。
【０００５】
ランプケース１０２は光源ランプ（不図示）を収納して保持する。ここでのランプケース１０２は、板金成形品である。特に、ランプケース１０２は、個々に板金成形された一対の部品が左右に組み合わされて成り、前面が開放し、その後面には、右側面が外側に膨らんだ形状によって内外を通じる隙間１０２ａ（図６参照）が形成される。
【０００６】
また、ランプカバー１０４が被せられる右側面に隣接する上下の二側面の一方、例えば上側面（図４〜図６での上側の面）には、その内部近傍に丁度ランプの接続端子が配置されるため、安全基準からの要求でその接続端子との絶縁距離を確保すべく、開口１０２ｂが形成されている。その開口１０２ｂには、絶縁板１０５が被せられる。この絶縁板１０５は、開口１０２ｂが形成されたランプケース１０２の上側面に、前部の左端をビス１０６で、後部をビス１０７でそれぞれ締付けされて取り付けられる。
【０００７】
前面部材１０３は概ね矩形の枠状であり、そのほぼ中央には、やや前方に突出した格好で、光源ランプからの光の出射口１０３ａが形成されている。ここでの前面部材１０３は、金属の射出成形品である。前面部材１０３の背後には、左寄りにランプケース１０２が配置され、ビス（不図示）で締付けされて取り付けられる。また、前面部材１０３には、出射口１０３ａの左側と上側にそれぞれ、ランプケース１０２内に空気を導入するための第１の通気口１０３ｂと第２の通気口１０３ｃが形成されている。
【０００８】
ランプカバー１０４は、板金成形品である。ここでのランプカバー１０４は、ランプケース１０２の右側面に所定の間隔をあけて向き合う主板部１０４ａと、ランプケース１０２の右側面に隣接しつつ互いに向き合う二側面、すなわち上側面、下側面のそれぞれに重ねられる上側板部１０４ｂ、下側板部１０４ｃと、を含む。主板部１０４ａ、上側板部１０４ｂ及び下側板部１０４ｃの後方は背板部１０４ｄで閉ざされていて、この背板部１０４ｄとランプケース１０２の後面との間にも所定の間隔があけられる。もっとも、絶縁板１０５が取り付けられたランプケース１０２の上側面におけるランプカバー１０４の上側板部１０４ｂは、絶縁板１０５と重ならないように、ランプケース１０２の上側面の右縁に沿って重なるような形状とされている。
【０００９】
また、前面部材１０３の背面には、その右側縁に沿って延在しつつ後方へ突出する突条１０３ｄが形成されている。ランプカバー１０４は、主板部１０４ａ、上側板部１０４ｂ及び下側板部１０４ｃを前面部材１０３の背面に突き当てて、主板部１０４ａの前縁に前面部材１０３からの突条１０３ｄを外側からあてがった状態に仮組みされる。そして、上側板部１０４ｂを、これが重ねられるランプケース１０２の上側面の後部にビス１０８で締付けされ、他方の下側板部１０４ｃを、これが重ねられるランプケース１０２の下側面の後部にビス（不図示）で締付けされ、これによりランプカバー１０４がランプケース１０２に取り付けられる。
【００１０】
このようなランプモジュール１０１においては、プロジェクタの駆動中、外部からプロジェクタ本体内に吸い込んだ空気が、ファンやブロワによって、前面部材１０３の第１の通気口１０３ｂ、第２の通気口１０３ｃからランプケース１０２内に導入される。その空気は、ランプの周囲を流通し、ランプケース１０２の後面の隙間１０２ａから、ランプカバー１０４の背板部１０４ｄとの間に導き出される。これと合わせて、ランプケース１０２の右側面とランプカバー１０４の主板部１０４ａとの間を前から後へ流通し、ランプケース１０２の後面とランプカバー１０４の背板部１０４ｄとの間に導き出される。その過程で、空気はランプやランプケース１０２から熱を奪い、熱気となる。ランプケース１０２の後面とランプカバー１０４の背板部１０４ｄとの間に導き出された熱気は、ファン等によって外部へ排出される。こうしてランプを冷却する。
【特許文献１】特開２００５−２０８４１０号公報
【特許文献２】特開平８−２６２５７３号公報
【発明の開示】
【発明が解決しようとする課題】
【００１１】
ところで、上記したランプモジュール１０１では、ランプカバー１０４が板金成形品であることから、ランプカバー１０４そのものに反りや変形が生じ易い。従って、例えば、ランプケース１０２の上側面に重ねられたランプカバー１０４の上側板部１０４ｂに反りが発生した場合、その上側板部１０４ｂは、前部が何ら拘束されていないため、ビス１０８で締付けされた後部を支点に浮き上がり、その結果、ランプカバー１０４の上側板部１０４ｂの前部とランプケース１０２の上側面との間に隙間が生まれる。そうすると、ランプケース１０２の右側面とランプカバー１０４の主板部１０４ａとの間を前から後へ流通する熱気は、予定する経路を経ずに、その隙間から不用意に漏れ出し、その付近に配置された部品に悪影響を及ぼす。
【００１２】
例えば、その漏れ個所の付近に、ランプモジュール１０１が過剰に温度上昇したときにプロジェクタを緊急停止させるための温度センサが配置されていると、そもそもランプケース１０２やランプカバー１０４からの伝熱温度を検知するように設定されているところ、その伝熱温度よりもはるかに高い直接の熱風温度を検知することになるため、プロジェクタの緊急停止が頻発してしまう。
【００１３】
なお、このような事態は、ランプケース１０２の下側面に重ねられたランプカバー１０４の下側板部１０４ｃに反りが発生した場合でも同様である。
【００１４】
そこで本発明は、上記の問題に鑑みてなされたものであり、ランプの冷却で生まれた熱気の不用意な漏れ出しを防止できるランプモジュールを提供することを目的とするものである。
【課題を解決するための手段】
【００１５】
上記目的を達成するため、本発明によるランプモジュールは、光源ランプを収納したランプケースと、前記光源ランプからの光の出射口を有し前記ランプケースの前面に取り付けられる前面部材と、折り曲げられた金属板より成り前記ランプケースの一側面に被せられるランプカバーと、を備えたランプモジュールであって、前記前面部材は、金属の射出成形品であり、前記ランプケースは、折り曲げられた金属板より成り、その前記一側面に隣接する二側面の一方に開口が形成され、この開口に絶縁板が被せられ、前記絶縁板は、前記開口が形成された前記ランプケースの前記側面に前部と後部をビスで締付けされ、前記ランプカバーは、前記ランプケースの前記一側面に向き合う主板部と、前記ランプケースの前記一側面に隣接する二側面それぞれに重ねられる側板部と、を含み、前記主板部の前縁に前記前面部材からの第１の突条を外側からあてがった状態で、前記側板部をそれぞれが重ねられる前記ランプケースの前記側面の後部にビスで締付けされるランプモジュールにおいて、次の点を特徴とする。前記ランプケースの前記側面への前記ビスによる前記ランプカバーの前記側板部の締付けは、前記側板部の前縁に前記前面部材からの第２の突条を外側からあてがった状態でなされる。
【００１６】
このような構成にすれば、外側への前縁の移動を第２の突条で規制されながら、後部をビスで締付けされることにより、ランプカバーの側板部とランプケースの側面とが密接した状態になっているため、ランプケース内を流通する熱気は、不用意に漏れ出すことなく、予定する経路を経て排出される。
【００１７】
また、上記目的を達成するための本発明によるランプモジュールは、光源ランプを収納したランプケースと、前記光源ランプからの光の出射口を有し前記ランプケースの前面に取り付けられる前面部材と、折り曲げられた金属板より成り前記ランプケースの一側面に被せられるランプカバーと、を備えたランプモジュールであって、前記ランプカバーは、前記ランプケースの前記一側面に向き合う主板部と、前記ランプケースの前記一側面に隣接する二側面それぞれに重ねられる側板部と、を含み、前記主板部の前縁に前記前面部材からの第１の突条を外側からあてがうとともに、少なくとも一方の前記側板部の前縁に前記前面部材からの第２の突条を外側からあてがった状態で、前記側板部をそれぞれが重ねられる前記ランプケースの前記側面の後部にビスで締付けされる。
【００１８】
このような構成にすれば、外側への前縁の移動を第２の突条で規制されながら、後部をビスで締付けされることにより、ランプカバーの側板部とランプケースの側面とが密接した状態になっているため、ランプケース内を流通する熱気は、不用意に漏れ出すことなく、予定する経路を経て排出される。
【００１９】
ここで、前記前面部材は、金属の射出成形品であることが好ましい。
【００２０】
また、前記ランプケースは、折り曲げられた金属板より成ることが好ましい。
【００２１】
このとき、安全基準からの要求でランプの接続端子との絶縁距離を確保すべく、前記ランプケースには、前記ランプカバーの前記側板部が重ねられる前記側面の少なくとも一方に開口が形成され、この開口に絶縁板が被せられていて、前記絶縁板は、前記開口が形成された前記ランプケースの前記側面に前部と後部をビスで締付けされてもよい。
【発明の効果】
【００２２】
本発明のランプモジュールによれば、ランプの冷却で生まれた熱気の不用意な漏れ出しを防止できる。
【発明を実施するための最良の形態】
【００２３】
以下に、本発明のランプモジュールの一実施形態について、図面を参照しながら詳述する。図１は本発明の一実施形態であるランプモジュールの前方からの外観を示す斜視図、図２はそのランプモジュールの後方からの外観を示す斜視図、図３はそのランプモジュールの後方からの外観を分解して示す斜視図である。
【００２４】
図１〜図３に示すように、ランプモジュール１は、大きくは、ランプケース２と、このランプケース２の前面（図１では左手前側の面、図２、図３では左奥側の面）に取り付けられる前面部材３と、ランプケース２の一側面、例えば右側面（図１では左奥側の面、図２、図３では右奥側の面）に被せられるランプカバー４とより構成される。
【００２５】
ランプケース２は光源ランプ（不図示）を収納して保持する。ここでのランプケース２は、折り曲げられたアルミニウム等の金属板より成る板金成形品である。特に、ランプケース２は、個々に板金成形された一対の部品が左右に組み合わされて成り、前面が開放し、その後面には、右側面が外側に膨らんだ形状によって内外を通じる隙間２ａ（図３参照）が形成される。
【００２６】
また、ランプカバー４が被せられる右側面に隣接する上下の二側面の一方、例えば上側面（図１〜図３での上側の面）には、その内部近傍に丁度ランプの接続端子が配置されるため、安全基準からの要求でその接続端子との絶縁距離を確保すべく、開口２ｂが形成されている。その開口２ｂには、液晶ポリマー（ＬＣＰ）等の絶縁板５が被せられる。この絶縁板５は、開口２ｂが形成されたランプケース２の上側面に、前部の左端をビス６で、後部をビス７でそれぞれ締付けされて取り付けられる。
【００２７】
前面部材３は概ね矩形の枠状であり、そのほぼ中央には、やや前方に突出した格好で、光源ランプからの光の出射口３ａが形成されている。ここでの前面部材３は、アルミニウム等の金属の射出成形品である。前面部材３の背後には、左寄りにランプケース２が配置され、ビス（不図示）で締付けされて取り付けられる。また、前面部材３には、出射口３ａの左側と上側にそれぞれ、ランプケース２内に空気を導入するための第１の通気口３ｂと第２の通気口３ｃが形成されている。
【００２８】
ランプカバー４は、折り曲げられたアルミニウム等の金属板より成る板金成形品である。ここでのランプカバー４は、ランプケース２の右側面に所定の間隔をあけて向き合う主板部４ａと、ランプケース２の右側面に隣接しつつ互いに向き合う二側面、すなわち上側面、下側面のそれぞれに重ねられる上側板部４ｂ、下側板部４ｃと、を含む。主板部４ａ、上側板部４ｂ及び下側板部４ｃの後方は背板部４ｄで閉ざされていて、この背板部４ｄとランプケース２の後面との間にも所定の間隔があけられる。もっとも、絶縁板５が取り付けられたランプケース２の上側面におけるランプカバー４の上側板部４ｂは、絶縁板５と重ならないように、ランプケース２の上側面の右縁に沿って重なるような形状とされている。
【００２９】
また、前面部材３の背面には、その右側縁に沿って延在しつつ後方へ突出する第１の突条３ｄが形成されている。本実施形態では更に、前面部材３の背面には、第１の突条３ｄの上端部を起点にして、その上側縁に沿って延在しつつ後方へ突出する第２の突条３ｅが形成されている。なお、図示はしていないが、本実施形態では更に、前面部材３の背面には、第１の突条３ｄの下端部を起点にして、その下側縁に沿って延在しつつ後方へ突出する第２の突条が形成されている。
【００３０】
ランプカバー４は、主板部４ａ、上側板部４ｂ及び下側板部４ｃを前面部材３の背面に突き当てて、主板部４ａの前縁に前面部材３からの第１の突条３ｄを、上側板部４ｂの前縁に前面部材３からの第２の突条３ｅを、下側板部４ｃの前縁に前面部材３からの第２の突条（不図示）をそれぞれ外側からあてがった状態に仮組みされる。そして、上側板部４ｂを、これが重ねられるランプケース２の上側面の後部にビス８で締付けされ、他方の下側板部４ｃを、これが重ねられるランプケース２の下側面の後部にビス（不図示）で締付けされ、これによりランプカバー４がランプケース２に取り付けられる。
【００３１】
ここでは、ランプケース２の上側面に重ねられたランプカバー４の上側板部４ｂは、外側への前縁の移動を前面部材３からの第２の突条３ｅで規制されながら、後部をビス８で締付けされているため、反ろうとしても浮き上がることはない。その結果、ランプカバー４の上側板部４ｂとランプケース２の上側面とが密接した状態に維持される。他方、ランプケース２の下側面に重ねられたランプカバー４の下側板部４ｃについても、状況は同じである。
【００３２】
このようなランプモジュール１においては、プロジェクタの駆動中、外部からプロジェクタ本体内に吸い込んだ空気が、ファンやブロワによって、前面部材３の第１の通気口３ｂ、第２の通気口３ｃからランプケース２内に導入される。その空気は、ランプの周囲を流通し、ランプケース２の後面の隙間２ａから、ランプカバー４の背板部４ｄとの間に導き出される。これと合わせて、ランプケース２の右側面とランプカバー４の主板部４ａとの間を前から後へ流通し、ランプケース２の後面とランプカバー４の背板部４ｄとの間に導き出される。その過程で、空気はランプやランプケース２から熱を奪い、熱気となる。ランプケース２の後面とランプカバー４の背板部４ｄとの間に導き出された熱気は、ファン等によって外部へ排出される。こうしてランプを冷却する。
【００３３】
その際、外側への前縁の移動を第２の突条３ｅで規制されながら、後部をビス８で締付けされることにより、ランプカバー４の上側板部４ｂとランプケース２の上側面とが密接した状態になっているため、ランプケース２の右側面とランプカバー４の主板部４ａとの間を前から後へ流通する熱気は、不用意に漏れ出すことなく、予定する経路を経て排出される。つまり、ランプの冷却で生まれた熱気の不用意な漏れ出しを防止できる。ランプカバー４の下側板部４ｃとランプケース２の下側面についても、状況は同じである。従って、ランプモジュール１付近に配置された部品に、不用意に悪影響を及ぼすこともない。
【００３４】
その他本発明は上記の実施形態に限定されず、本発明の趣旨を逸脱しない範囲で、種々の変更が可能である。例えば、上記の実施形態では、ランプカバー４の上側板部４ｂ、下側板部４ｃの両方に対して、前縁に第２の突条をあてがうようにしたが、付近に熱の悪影響を受け易い部品がなければ、前縁への第２の突条のあてがいは必ずしも必要ではない。また、安全基準をもともと満たしていることから、ランプカバー４の上側板部４ｂに、開口２ｂを形成する必要がなく、絶縁板５の取付けがなされなくてもよい。
【００３５】
また、ランプケース２や前面部材３は、硬質樹脂の射出成形品であってもよい。もっとも、ランプケース２が絶縁性の樹脂である場合は、開口２ｂ及び絶縁板５を設ける必要性はない。
【産業上の利用可能性】
【００３６】
本発明は、種々のプロジェクタに有用である。
【図面の簡単な説明】
【００３７】
【図１】本発明の一実施形態であるランプモジュールの前方からの外観を示す斜視図である。
【図２】本発明の一実施形態であるランプモジュールの後方からの外観を示す斜視図である。
【図３】本発明の一実施形態であるランプモジュールの後方からの外観を分解して示す斜視図である。
【図４】従来のランプモジュールの前方からの外観を示す斜視図である。
【図５】従来のランプモジュールの後方からの外観を示す斜視図である。
【図６】従来のランプモジュールの後方からの外観を分解して示す斜視図である。
【符号の説明】
【００３８】
１    ランプモジュール
２    ランプケース
３    前面部材
３ａ    出射口
３ｂ    第１の通気口
３ｃ    第２の通気口
３ｄ    第１の突条
３ｅ    第２の突条
４    ランプカバー
４ａ    主板部
４ｂ    上側板部
４ｃ    下側板部
４ｄ    背板部
５    絶縁板
６    ビス
７    ビス
８    ビス
【図１】
2008129370.tif 000003
【図２】
2008129370.tif 000004
【図３】
2008129370.tif 000005
【図４】
2008129370.tif 000006
【図５】
2008129370.tif 000007
【図６】
2008129370.tif 000008